(57)【要約】    【課題】  画像をメモリ等に記録するデジタルカメラにおいて、撮影後の画像確認時の表示の視認性向上、および、画像管理過程を簡略化する。    【解決手段】  撮影後に画像の適正判断をカメラが行い、適正か不適正かのグループ分けがされる。グループ分けに対応した記録先（フォルダ分別された箇所）に記録する。また、画像単独に適正判断結果を付帯し、関連付けて表示の展開を行う。【選択図】      図１
2005150836.tif 000002
【特許請求の範囲】
【請求項１】
撮影して得た画像データと、撮影条件を記憶するメモリと、撮影結果から所定のグループ毎に分別して前記画像データを記録媒体に記録する保存手段と、を備え、前記撮影条件から撮影した画像が不適正と判断される結果をもとに、前記グループ毎の分別が成され、前記記録媒体に分別して保存することを特徴とする撮像装置。
【請求項２】
撮影して得た画像データと、撮影条件を記憶するメモリと、撮影結果から所定のグループ毎にフォルダを作成し、前記画像データを前記グループ毎のフォルダに対応して記録媒体に記録する保存手段と、を備え、前記撮影条件から撮影した画像が適正と判断される結果をもとに、前記フォルダのグループ化を行ない、前記記録媒体に分別して保存され、前記撮影条件から撮影した画像が不適正と判断される結果をもとに、前記フォルダのグループ化を行ない、前記記録媒体に分別して保存されることを特徴とする撮像装置。
【請求項３】
撮影して得た画像データと、撮影条件を記憶するメモリと、前記画像データに含まれる撮影情報を示す付随の撮影データと、撮影結果から所定のグループ毎にフォルダを作成し、前記画像データを前記グループ毎のフォルダに対応して記録媒体に記録する保存手段と、を備え、前記撮影条件から撮影した画像が適正と判断される結果をもとに、前記フォルダのグループ化を行ない、前記撮影データに適正画像と判断された結果を示すデータを追加し、前記記録媒体に分別して保存され、前記撮影条件から撮影した画像が不適正と判断される結果をもとに、前記フォルダのグループ化を行ない、前記撮影データに不適正画像と判断された結果を示すデータを追加し、前記記録媒体に分別して保存される、ことを特徴とする撮像装置。
【請求項４】
前記不適正と判断される内容は、撮影者に異常の警告告知を行なったにもかかわらず撮影された画像を含むことを特徴とする請求項１から３のいずれかに記載の撮像装置。
【請求項５】
前記分別されたグループに関連付けた表示を画像表示部に展開して表示することを特徴とする請求項１から３のいずれかに記載の撮像装置。
【請求項６】
所定の撮影条件で撮影した画像データを、前記所定の撮影条件に対応する所定の要素に基づいて適正又は不適正と判断する適正判断手段と、前記適正判断手段の判断結果に関連付けて画像データを記憶する記憶手段と、前記適正判断手段によって適正又は不適正と判断された画像データを前記記憶手段から選択的に出力可能な出力手段とを有することを特徴とする撮影装置。
【発明の詳細な説明】
【技術分野】
【０００１】
本発明は、デジタルカメラ等の撮像装置によって撮影された画像を記録媒体に記録する際の記憶領域の割り付け技術に関し、特に、再生時に検索が容易なように画像を記憶するためのフォルダ等のグループ領域の自動作成技術を有する撮影装置に関する。
【背景技術】
【０００２】
レンズを通して撮影された画像をＣＣＤ等のイメージセンサで撮像し、この撮像した画像を着脱可能とした記録媒体のメモリカードに蓄え、撮影後にメモリカードから画像データを読み出しカメラ付属のモニタ画面に表示するデジタルカメラは昨今一般的になっており、メモリカードを介して他の画像表示装置に画像を表示させたり、印刷装置から撮影画像をプリント出力したりすることを可能としている。
【０００３】
また、従来の銀塩カメラでは撮影後フイルム現像の工程を経て初めて撮影画像の確認が行なえたのに対して、デジタルカメラでは撮影後に撮影した画像をカメラ付属のモニタにて簡易的に表示することができるので、撮影者は記録画像を読み出すことで撮影の良否判定を行なえるという利点がある。
【０００４】
さらに、画像固有の撮影情報を画像記録時に附帯情報としてデータに追加して、前途の記録媒体に記録し、画像読み出しと共に表示することも可能としている。
【０００５】
記録媒体であるメモリカードに画像データを記録する場合、画像データに関連付けた番号や日付や時間でファイル管理するものが一般的であり、特許文献１では複数の画像データをグループ分類し連続番号を付与する方法が開示されている。
【０００６】
さらに、特許文献２では関連性を持った複数画像は時刻に関連つけずにグループ化する方法が開示され、特許文献３では撮影に関する情報と印刷に関する情報とをフォルダ管理に反映した制御方法が開示されている。
【特許文献１】特開２０００−２３６５０３号公報
【特許文献２】特開２００１−３３３３６１号公報
【特許文献３】特開２００２−１９９３１２号公報
【発明の開示】
【発明が解決しようとする課題】
【０００７】
しかしながら多くの画像を撮影した場合には、得られた画像すべてが正常な撮影であるとは限らない。なかには露出異常で撮影された画像や、カメラが撮影条件に満たしていない状況で撮影された画像などの失敗画像も前途の従来例では日付等の時系列で記録される。
【０００８】
撮影後の画像確認として得られた画像を読み出して表示させた場合にも時系列で表示されるので、大量の画像の中から明らかに失敗画像を区別して探し出すことは、撮影画像数が多くなるほど容易ではなくなる。
【０００９】
本発明は、撮影時の撮影条件によりカメラが自己判断でグループ化し、画像記録時に自動的に割りあてを行なうことで、撮影後の画像表示および画像管理を簡略化することを目的としている。
【課題を解決するための手段】
【００１０】
上記の目的を達成するために、本発明第１の発明では、撮影して得た画像データと、撮影条件を記憶するメモリと、撮影結果から所定のグループ毎に分別して前記画像データを記録媒体に記録する保存手段と、を備え、前記撮影条件から撮影した画像が不適正と判断される結果をもとに、前記グループ毎の分別が成され、前記記録媒体に分別して保存することを特徴とする撮像装置、とした。
【００１１】
これにより、撮影後の異常画像の選別が可能となる。
【００１２】
本発明第２の発明では、撮影して得た画像データと、撮影条件を記憶するメモリと、撮影結果から所定のグループ毎にフォルダを作成し、前記画像データを前記グループ毎のフォルダに対応して記録媒体に記録する保存手段と、を備え、前記撮影条件から撮影した画像が適正と判断される結果をもとに、前記フォルダのグループ化を行ない、前記記録媒体に分別して保存され、前記撮影条件から撮影した画像が不適正と判断される結果をもとに、前記フォルダのグループ化を行ない、前記記録媒体に分別して保存される、ことを特徴とする撮像装置、とした。
【００１３】
これにより、適正な画像のフォルダと不適正な画像のフォルダを生成することが可能となる。
【００１４】
本発明第３の発明では、撮影して得た画像データと、撮影条件を記憶するメモリと、前記画像データに含まれる撮影情報を示す付随の撮影データと、撮影結果から所定のグループ毎にフォルダを作成し、前記画像データを前記グループ毎のフォルダに対応して記録媒体に記録する保存手段と、を備え、前記撮影条件から撮影した画像が適正と判断される結果をもとに、前記フォルダのグループ化を行ない、前記撮影データに適正画像と判断された結果を示すデータを追加し、前記記録媒体に分別して保存され、前記撮影条件から撮影した画像が不適正と判断される結果をもとに、前記フォルダのグループ化を行ない、前記撮影データに不適正画像と判断された結果を示すデータを追加し、前記記録媒体に分別して保存されることを特徴とする撮像装置、とした。
【００１５】
これにより、画像単独に適正判断の結果をデータとして不可することが可能となる。
【００１６】
本発明第４の発明では、上記発明１から３のいずれかにおいて、前記不適正と判断される内容は、撮影者に異常の警告告知を行なったにもかかわらず撮影された画像を含むことを特徴とする撮像装置、とした。
【００１７】
これにより、撮影者のミスなどによる失敗画像も不適正として判断することが実現できる。
【００１８】
本発明第５の発明では、上記発明１から３のいずれかにおいて、前記分別されたグループに関連付けた表示を画像表示部に展開して表示することを特徴とする撮像装置、とした。
【００１９】
これにより、画像確認の表示上にも適正判断の結果が反映された形で表示可能となる。
【００２０】
本発明の第6の発明では、所定の撮影条件で撮影した画像データを、前記所定の撮影条件に対応する所定の要素に基づいて適正又は不適正と判断する適正判断手段と、前記適正判断手段の判断結果に関連付けて画像データを記憶する記憶手段と、前記適正判断手段によって適正又は不適正と判断された画像データを前記記憶手段から選択的に出力可能な出力手段とを有することを特徴とする撮影装置、とした。
【発明の効果】
【００２１】
本発明によれば、撮影した後にカメラが自己判断により画像の適正か不適正かを振り分け、対応して定義付けたフォルダに記録し分別するようにしたので、記録媒体を介して他の画像表示装置などで画像管理を行なう場合や表示展開する場合において有効となる。
【００２２】
また、カメラモニタ等での撮影後の画像確認時に自己判断結果を表示するようにしたので、撮影者は画像の優先度をすぐに確認でき、例えば記録媒体の容量が残りわずかになったときに消去画像を選び出す検索等に有効となる。
【００２３】
さらに、画像単独にカメラの自己判断結果に対応したデータを追加して記録するようにしたので、撮影後の画像確認時に良否判定が容易に判り、その区別は一目瞭然となる。
【発明を実施するための最良の形態】
【００２４】
（第１の実施の形態）
以下、図面を参照して本発明の第１の実施の形態をデジタルカメラの構成及び動作フローチャートの中において説明する。
【００２５】
図１は、本発明の一例となる実施の形態の構成を示す図であり、図中１００の部分が画像処理装置をもったデジタルカメラの構成である。
【００２６】
１０は絞り機能を備える交換可能な撮影レンズ、２と４はカメラとレンズの接続端子であり双方の通信と電源供給等を行なう。
【００２７】
このレンズ接続端子２と４を介した通信内容には、レンズＩＤ、レンズの絞り値（Ａｖ値）、レンズ駆動量など、様々なレンズ情報を含んでおり、システム制御回路５０は測距回路４６を介して通信内容の把握やレンズ制御などの相互通信を可能としている。
【００２８】
１２はシャッター、１４は光学像を電気信号に変換する例えばＣＣＤ等の撮像素子、１６は撮像素子１４のアナログ信号出力をデジタル信号に変換するＡ／Ｄ変換器である。
【００２９】
シャッター１２の開閉により、撮像素子１４への露光時間（シャッター秒時であるＴｖ値相当）が決定される。
【００３０】
１８は撮像素子１４や、  Ａ／Ｄ変換器１６や、  Ｄ／Ａ変換器２６にクロック信号や制御信号を供給するタイミング発生回路であり、メモリ制御回路２２及びシステム制御回路５０により制御される。
【００３１】
２０は画像処理回路であり、  Ａ／Ｄ変換器１６からのデータ或いはメモリ制御回路２２からのデータに対して所定の画素補間処理や色変換処理を行なう。
【００３２】
２２はメモリ制御回路であり、Ａ／Ｄ変換器１６、タイミング発生回路１８、画像処理回路２０、画像表示メモリ２４、Ｄ／Ａ変換器２６、画像データメモリ３０、画像ファイル生成部３２を制御する。
【００３３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いは画像データメモリ３０に書き込まれる。
【００３４】
２４は画像表示メモリ、２６はＤ／Ａ変換器、２８はＴＦＴ型カラーＬＣＤ等から成る画像表示部であり、画像表示メモリ２４に書き込まれた表示用の画像データはＤ／Ａ変換器２６を介して画像表示部２８により表示される。
【００３５】
画像表示部２８はカメラ背面に設置され、撮影後の画像確認やシステム制御回路５０との通信によりさまざまな情報告知としても表示され、本発明に関わる撮影済み画像の確認表示は画像表示部２８がモニタとなり簡易的に画像確認を行なえる。
【００３６】
３０は撮影した静止画像を格納するためのメモリであり、所定枚数の静止画像を格納するのに十分な記憶量を備えている。
【００３７】
これにより、後述する画像記録媒体から複数枚の画像を連続して読み込ませ、画像を再生する際に撮影情報も同時に再生することを可能とした、高速かつ大量の画像書き込みを画像データメモリ３０に対して行なうことが可能となる。
【００３８】
また、画像データメモリ３０はシステム制御回路５０の作業領域としても使用することが可能である。
【００３９】
３２は画像データを圧縮伸長しファイル化する画像ファイル生成部であり、画像データメモリ３０に格納された画像を読み込んで圧縮処理或いは伸長処理を行ない、処理を終えたデータを画像データメモリ３０に書き込む。
【００４０】
画像ファイル生成部３２  は、画像データメモリ３０に格納されたＲ、Ｇ、Ｂ  の画像データを輝度信号Ｙおよび色差信号ＣからなるＹＣデータに変換して、これをたとえば、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）  形式にて圧縮した画像ファイルを生成する。
【００４１】
具体的には、例えば画像データメモリ３０からの「数（ＭＢｙｔｅ）」の画像データは、ＹＣ変換およびＤＣＴ（Ｄｉｓｃｒｅｔｅ  ｃｏｓｉｎｅ  ｔｒａｎｓｆｏｒｍ−離散コサイン変換）、ＡＤＣＴ（Ａｄｊｕｓｔ  Ｄｉｓｃｒｅｔｅ  ｃｏｓｉｎｅ  ｔｒａｎｓｆｏｒｍ−適応離散コサイン変換）等によって元画像データの「１／数（ＭＢｙｔｅ）」のデータに圧縮され、さらにハフマン符号などにて符号化されて「数（ＫＢｙｔｅ）」のデータファイルとして形成される。
【００４２】
画像データメモリ３０に書き込まれた圧縮されたデータを読み出し画像表示部２８に画像を出力することでサムネイル（ｔｈｕｍｂｎａｉｌ）画像となり、さらに連続して読み出し画像表示部２８に並べて表示することでインデックス画像（マルチ画像）としてモニタすることができる。
【００４３】
これは後述する操作部７０において記録画像の圧縮率選択などで択一的に選択できる。
【００４４】
４０はシャッター１２を制御する露光制御手段であり、測光センサを含んで構成され、システム制御回路５０にて演算されたシャッター秒時（Ｔｖ値）に合わせてシャッターを開閉する制御を行なう。
【００４５】
４６は撮影レンズ１０のフォーカシングを制御する測距制御手段であり、測距センサを含んで構成され、複数の測距点から選択された測距を行ない、レンズ接続端子２と４を介してレンズを駆動する。
【００４６】
露光制御手段４０、測距制御手段４６の各センサはＴＴＬ方式を用いて制御されており、システム制御回路５０がシャッター秒時Ｔｖ値制御を露光制御手段４０へ、絞りＡｖ値制御を測距制御手段４６から撮影レンズ１０に対してそれぞれ制御を行なう。
【００４７】
４８は外部装着可能なフラッシュであり、ＡＦ補助光の投光機能、フラッシュ調光機能も有する。
【００４８】
このフラッシュ４８は外部取付け型のストロボとして通信接点４２と４４を介し、カメラ側と外部ストロボの相互通信を行なう構成となっているので、カメラはフラッシュの状態を逐一知ることができる。
【００４９】
５０は画像処理装置１００全体を制御するシステム制御回路であり、内部にＲＯＭ、ＲＡＭ、Ａ／Ｄコンバータ、Ｄ／Ａコンバータ、時計機能を有するマイクロコンピュータ。
【００５０】
このシステム制御回路５０にて本発明に関わる露出の異常検出、または露出判定、撮影画像の記録データのグループ化、記録データの符号追加、などを内部プログラムにて処理および制御する。
【００５１】
５２はシステム制御回路５０の動作用の定数、変数、プログラム等を記憶する外部メモリである。
【００５２】
システム制御回路５０は、撮影時の設定値、日付や時間などの撮影環境、撮影条件、などを外部メモリ５２や不揮発性メモリ５６と照合しながら撮影情報データの管理を行なう。
【００５３】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００５４】
また、表示部５４は、その一部の機能が光学ファインダー１０４内に設置されている。
【００５５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード（Ｔｖ値）表示、絞り値（Ａｖ値）表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２０の着脱状態表示、通信Ｉ／Ｆ動作表示、日付表示・時刻表示、等がある。
【００５６】
また、表示部５４の表示内容のうち、一部の情報を画像表示部２８にも表示することを可能としている。
【００５７】
この表示部５４での露出表示（Ｔｖ値とＡｖ値）では警告告知機能を備え、被写体輝度結果によって表示を点滅させ、警告を促す。
【００５８】
このとき警告告知のまま撮影した場合は、後述する適正判断によって不適正な画像として処理される。
【００５９】
５６は電気的に消去・記録可能な不揮発性メモリであり、例えばＥＥＰＲＯＭ等が用いられる。
【００６０】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００６１】
６０はモードダイアルスイッチで、電源オフ、自動撮影モード、撮影モード（Ｍ＝マニュアル、Ｔｖ＝シャッター優先ＡＥ、Ａｖ＝絞り優先ＡＥ、Ｐ＝プログラムＡＥ）、パノラマ撮影モード、再生モード、マルチ画面再生・消去モード、ＰＣ接続モード等の各機能モードを切り替え設定することができる。
【００６２】
６２はシャッタースイッチＳＷ１で、不図示のシャッターボタンの操作途中でＯＮとなり、ＡＦ処理、ＡＥ処理、ＡＷＢ処理、ＥＦ処理等の動作開始を指示する。
【００６３】
６４はシャッタースイッチＳＷ２で、不図示のシャッターボタンの操作完了でＯＮとなり、撮像素子１４から読み出した信号をＡ／Ｄ変換器１６、メモリ制御回路２２を介して画像データメモリ３０に画像データを書き込む露光処理、画像処理回路２０やメモリ制御回路２２での演算を用いた撮像処理、画像データメモリ３０から画像データを読み出し、画像ファイル生成部３２で圧縮を行ない、記録媒体２００或いは２１０に画像データを書き込む記録処理という一連の処理の動作開始を指示する。
【００６４】
６６は画像表示ＯＮ／ＯＦＦスイッチで、画像表示部２８のＯＮ／ＯＦＦを設定することが出来る。
【００６５】
６８は記録設定スイッチで、撮影画像の記録先を任意に設定することを可能としている。
【００６６】
７０は各種ボタンやタッチパネル等からなる操作部で、メニューボタン、セットボタン、マクロボタン、画像再生ボタン、インデックス画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００６７】
８０は電源制御手段で、電池検出回路、ＤＣ−ＤＣコンバータ、通電するブロックを切り換えるスイッチ回路等により構成されており、電池の装着の有無、電池の種類、電池残量の検出を行ない、検出結果及びシステム制御回路５０の指示に基づいてＤＣ−ＤＣコンバータを制御し、必要な電圧を必要な期間、記録媒体を含む各部へ供給する。
【００６８】
８２と８４は電源接続用コネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６９】
９０及び９４はメモリカードやハードディスク等の記録媒体とのインターフェース、９２及び９６はメモリカードやハードディスク等の記録媒体と接続を行なうコネクタ、９８はコネクタ９２及び或いは９６に記録媒体２００或いは２１０が装着されているか否かを検知する記録媒体着脱検知手段である。
【００７０】
なお、本実施の形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００７１】
インターフェース及びコネクタとしては、外部記録媒体であるＰＣＭＣＩＡカードやフラッシュメモリカード等の規格に準拠したものを用いて構成して構わない。
【００７２】
さらに、インターフェース９０及び９４、そしてコネクタ９２及び９６をＰＣＭＣＩＡカードやフラッシュメモリカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００７３】
１０４は光学ファインダーであり、光学ファインダー１０４内には、表示部５４の一部の機能、例えば、合焦表示、手振れ警告表示、フラッシュ充電表示、シャッタースピード表示、絞り値表示、露出補正表示などが設置されている。
【００７４】
この光学ファインダー１０４での露出表示（Ｔｖ値とＡｖ値）では警告告知機能を備え、被写体輝度結果によって表示を点滅させ、撮影者がファインダーを覗いているときに警告を促す。
【００７５】
このとき警告告知のまま撮影した場合は、後述する適正判断によって不適正な画像として処理される。
【００７６】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７７】
１１２は通信手段１１０により画像処理装置１００を他の機器と接続するコネクタ或いは無線通信の場合はアンテナである。
【００７８】
２００はメモリカードやハードディスク等の記録媒体である。
【００７９】
記録媒体２００は、半導体メモリや磁気ディスク等から構成される記録部２０２、画像処理装置１００とのインターフェース２０４、画像処理装置１００と接続を行なうコネクタ２０６を備えている。
【００８０】
２１０はメモリカードやハードディスク等の記録媒体である。
【００８１】
記録媒体２１０は、半導体メモリや磁気ディスク等から構成される記録部２１２、画像処理装置１００とのインターフェース２１４、画像処理装置１００と接続を行なうコネクタ２１６を備えている。
【００８２】
本発明に関わる、撮影済みの画像データはこれらの記録媒体に割りあてられて記録される。
【００８３】
次に、図２、図３、図４、図５、図６を用い、第１の実施の形態の動作を一連の基本シーケンス、撮影シーケンスより説明する。
【００８４】
図２及び図３は本実施の形態に関わる画像処理装置１００の主ルーチンのフローチャートを示し、これにより画像処理装置１００の動作を説明する。
【００８５】
図２より、  電池交換等の電源投入により、システム制御回路５０はフラグや制御変数等を初期化する。（Ｓ１０１）
システム制御回路５０は、モードダイアル６０の設定位置を判断し（Ｓ１０２）、モードダイアル６０が電源ＯＦＦに設定されていたならば、各表示部の表示を終了状態に変更し（Ｓ１０４）、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後、Ｓ１０２に戻りスリープ状態（モード操作待機状態）になる。
【００８６】
モードダイアル６０が撮影モードに設定されていたならば（Ｓ１０２）、Ｓ１０５に進む。
【００８７】
モードダイアル６０がその他のモードに設定されていたならば（Ｓ１０２）、システム制御回路５０は選択されたモードに応じた処理を実行し（Ｓ１０３）、処理を終えたならばスリープする（Ｓ１０２）。
【００８８】
Ｓ１０３のその他のモードとしての一例では画像確認モードがあり、撮影済みの画像確認のためのインデックス画像表示や取得した画像の修正、加工、ファイル化などを行なう。
【００８９】
本発明に関わる、記録フォルダの任意設定や画像の消去などは、このＳ１０３その他のモードに含まれ処理される。
【００９０】
システム制御回路５０は、電源制御手段８０により電池等により構成される電源８６の残容量や動作情況が画像処理装置１００の動作に問題があるか否かを判断し（Ｓ１０５）、問題があるならば表示部５４を用いて画像や音声により所定の警告表示を行った後に（Ｓ１０７）、Ｓ１０２に戻りスリープする。
【００９１】
電源８６に問題が無いならば（Ｓ１０５）、システム制御回路５０は記録媒体２００或いは２１０の動作状態が画像処理装置１００の動作、特に記録媒体に対する画像データの記録再生動作に問題があるか否かを判断し（Ｓ１０６）、問題があるならば表示部５４を用いて画像や音声により所定の警告表示を行った後に（Ｓ１０７）、Ｓ１０２に戻りスリープする。
【００９２】
記録媒体２００或いは２１０の動作状態に問題が無いならば（Ｓ１０６）、表示部５４を用いて画像や音声により画像処理装置１００の各種設定状態の告知を行なう（Ｓ１０８）。なお、画像表示部２８の画像表示がＯＮであったならば、画像表示部２８も用いて画像や音声により画像処理装置１００の各種設定状態の告知を行なう。
【００９３】
図３より、シャッタースイッチＳＷ１が押されていないならば（Ｓ１０９）、Ｓ１０２に戻りスリープする。
【００９４】
シャッタースイッチＳＷ１が押されたならば（Ｓ１０９）、Ｓ１１０に進み、システム制御回路５０は、測距処理を行って撮影レンズ１０の焦点を被写体に合わせ、測光処理を行って絞り値及びシャッター時間を決定する（Ｓ１１０）。測光処理に於いて、必要であればフラッシュの設定も行なう。
【００９５】
このときの測光結果は前途の光学ファインダ１０４や表示部５４に表示され、露出異常の警告等も同様に表示される。
【００９６】
測距・測光処理Ｓ１１０を終え、シャッタースイッチＳＷ２が押されずに（Ｓ１１１）、さらにシャッタースイッチＳＷ１も解除されたならば（Ｓ１１２）、Ｓ１０２に戻りスリープする。
【００９７】
シャッタースイッチＳＷ２が押されたならば（Ｓ１１１）、Ｓ１１３に進み撮影処理を行なう。
【００９８】
システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、画像データメモリ３０に撮像した画像データを書き込む露光処理、及び、メモリ制御回路２２そして必要に応じて画像処理回路２０を用いて、画像データメモリ３０に書き込まれた画像データを読み出して各種処理を行なう現像処理からなる撮影処理を実行する（Ｓ１１３）。
【００９９】
この撮影処理Ｓ１１３の詳細は図４を用いて後述する。
【０１００】
次に、Ｓ１１４では、システム制御回路５０の内部メモリ或いはメモリ５２に記憶される画像表示フラグの状態を判断し、画像表示フラグが設定されていたならば（Ｓ１１４）、Ｓ１１５に進みプレビュー画像表示を行なう。この場合は、撮影中も画像表示部２８が画像モニタとして常に表示された状態であり、撮影直後のプレビュー表示が行われる。
【０１０１】
画像表示フラグが解除されていたならば（Ｓ１１４）、システム制御回路５０の内部メモリ或いはメモリ５２に記憶されるプレビュー表示は行なわず、Ｓ１１６に進み、本発明に関わる画像の適正判断が行なわれる。
【０１０２】
Ｓ１１６での適正判断の要素としては様々なパラメータがあり、例えば、以下に挙げる要素から判断される。
・  得られた画像の輝度値を検出し、限度値を超える特定量の輝度レベル割合が検出された場合を不適正と判断、以外は適正と判断。
・  カメラの定める露出限界値以上で撮影された場合を不適正と判断、以外は適正と判断。
・  露光制御範囲以外で撮影された場合を不適正と判断、以外は適正と判断。
・  測光結果が警告時（極端な高輝度、極端な低輝度）で撮影された場合を不適正と判断、以外は適正と判断。
・  装着レンズの絞り限界値以上で撮影された場合を不適正と判断、以外は適正と判断。
・  装着レンズが無い状態で撮影された場合を不適正と判断、以外は適正と判断。
・  外部ストロボの条件が未達（発光不良、充電未達）で撮影された場合を不適正と判断、以外は適正と判断。
・  カメラ自身のトラブル状態（エラーまたはビジー状態）で撮影された場合を不適正と判断、以外は適正と判断。
【０１０３】
上記に挙げた要素は一例であり、不適正と判断される要素はこれに限らず、システム制御回路５０の制御結果と得られた画像の比較により失敗画像と成りうる要素をもった画像であれば、このＳ１１６にて分別される。
【０１０４】
Ｓ１１６にて撮影した画像が適正と判断されたら、システム制御回路５０は画像データメモリ３０に書き込まれた撮影画像データを読み出して、メモリ制御回路２２そして必要に応じて画像処理回路２０を用いて各種画像処理を、また、画像ファイル生成部３２を用いて設定したモードに応じた画像圧縮処理を行った後、記録媒体２００或いは２１０の通常作成される画像フォルダへ画像データを書き込む記録処理を実行する（Ｓ１１７）。
【０１０５】
この通常フォルダ記録処理Ｓ１１７の詳細は図５を用いて後述する。
【０１０６】
Ｓ１１６にて撮影した画像が不適正と判断されたら、上記と同様の記録処理を行なうが、記録媒体２００或いは２１０への書き込みはＳ１１７にて作成される画像フォルダとは異なる不適正フォルダを作成し、その中へ書き込まれる。
【０１０７】
また、本実施の形態のＳ１１６では、適正、不適正、と二種類のグループに分別する記録方法にて説明したが、記録するグループ分けについてはこれに限らず、不適正を更に詳細なグループに分別してもよい。具体的には、前途のＳ１１６の適正判断にて、不適正となる要素ごとにグループ化する、といったことも可能である。
【０１０８】
この不適正フォルダ記録処理Ｓ１１８の詳細は図６を用いて後述する。
【０１０９】
記録処理Ｓ１１７およびＳ１１８が終了した際に、シャッタースイッチＳＷ２が押された状態であったならば（Ｓ１１９）、システム制御回路５０はシステム制御回路５０の内部メモリ或いはメモリ５２に記憶される連写フラグの状態を判断し（Ｓ１２０）、連写フラグが設定されていたならば、連続して撮影を行なうためにＳ１１３に戻り、次の撮影を行なう。
【０１１０】
連写フラグが設定されていないならば（Ｓ１２０）、シャッタースイッチＳＷ２が放されるまで（Ｓ１１９）、現在の処理を繰り返す。
【０１１１】
記録処理が終了した際にシャッタースイッチＳＷ２が放された状態であった、或いは、シャッタースイッチＳＷ２を押し続けてプレビュー表示を継続して撮影画像の確認を行った後にシャッタースイッチＳＷ２を放した状態であったならば（Ｓ１１９）、所定のプレビュー時間が経過した後にＳ１２２に進む（Ｓ１２１）。
【０１１２】
なお、このプレビュー時間の設定は、固定値としても、使用者が任意に設定することが可能としても、さらには所定の範囲内で使用者が任意に設定或いは選択することが可能としても、いずれの方法で設定しても構わない。
【０１１３】
次にＳ１２２では、画像表示部２８の画像表示をＯＦＦ状態に設定して、Ｓ１２３に進む。
【０１１４】
シャッタースイッチＳＷ１が押された状態であったならば（Ｓ１２３）、システム制御回路５０は、Ｓ１１１に戻って次の撮影に備える。
【０１１５】
シャッタースイッチＳＷ１が放された状態であったならば（Ｓ１２３）、システム制御回路５０は、一連の撮影動作を終えてＳ１０２に戻りスリープする。
【０１１６】
図４は、図３のＳ１１３における撮影処理の詳細なフローチャートを示す。
【０１１７】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１４を露光する（Ｓ３０１、Ｓ３０２）。
【０１１８】
フラッシュフラグによりフラッシュ４８が必要か否かを判断し（Ｓ３０３）、必要な場合はフラッシュを発光させる（Ｓ３０４）。
【０１１９】
システム制御回路５０は、測光データに従って撮像素子１４の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、画像データメモリ３０に撮影画像のデータを書き込む（Ｓ３０７）。
【０１２０】
設定された撮影モードに応じて、フレーム処理を行なう必要があるならば（Ｓ３０８）、システム制御回路５０は、メモリ制御回路２２そして必要に応じて画像処理回路２０を用いて、画像データメモリ３０に書き込まれた画像データを読み出して垂直加算処理や（Ｓ３０９）、色処理（Ｓ３１０）を順次行なった後、画像データメモリ３０に処理を終えた画像データを書き込む。
【０１２１】
システム制御回路５０は、画像データメモリ３０から画像データを読み出し、メモリ制御回路２２を介して画像表示メモリ２４に表示画像データの転送を行なう（Ｓ３１１）。
【０１２２】
一連の処理を終えたならば、撮影処理ルーチンＳ１１３を終了する。
【０１２３】
図５は、図３のＳ１１７における通常フォルダへの記録処理のフローチャートを示す。
【０１２４】
システム制御回路５０は、メモリ制御回路２２そして必要に応じて画像処理回路２０を用いて、画像データメモリ３０に書き込まれた撮影画像データを読み出して撮像素子の縦横画素比率を１：１に補間する画素正方化処理を行った後（Ｓ４０１）、画像データメモリ３０に処理を終えた画像データを書き込む。
【０１２５】
そして、画像データメモリ３０に書き込まれた画像データを読み出して、設定したモードに応じた画像圧縮処理を画像ファイル生成部３２によって行った後（Ｓ４０２）、インターフェース９０或いは９４、コネクタ９２或いは９６を介して、メモリカードやフラッシュメモリカード等の記録媒体２００或いは２１０の内部を読み込み、画像データの書き込み先となるフォルダの確認を行なう（Ｓ４０３）。
【０１２６】
この通常フォルダ記録ルーチン内のＳ４０３で確認されるフォルダは、図３のＳ１１６にて適正と判断された画像データが書き込まれるフォルダである。
【０１２７】
Ｓ４０３のフォルダ確認にて、すでにフォルダが作成されていれば、Ｓ４０５に進み、記録媒体内の指定されたフォルダ（仮にフォルダ１）へ画像データの書き込みを行ない、記録処理ルーチンＳ１１７を終了する。
【０１２８】
Ｓ４０３のフォルダ確認にて、記録媒体の内部にフォルダが作成されていない場合は、仮にフォルダ１と名称付けた通常フォルダを作成し（Ｓ４０４）、Ｓ４０５に進み、記録媒体内の指定されたフォルダ１へ画像データの書き込みを行ない、記録処理ルーチンＳ１１７を終了する。
【０１２９】
この通常フォルダ記録ルーチンにて、適正な画像データのみが分別され記録媒体に記録される。
【０１３０】
図６は、図３のＳ１１８における不適正フォルダへの記録処理のフローチャートを示す。
【０１３１】
システム制御回路５０は、メモリ制御回路２２そして必要に応じて画像処理回路２０を用いて、画像データメモリ３０に書き込まれた撮影画像データを読み出して撮像素子の縦横画素比率を１：１に補間する画素正方化処理を行った後（Ｓ５０１）、画像データメモリ３０に処理を終えた画像データを書き込む。
【０１３２】
そして、画像データメモリ３０に書き込まれた画像データを読み出して、設定したモードに応じた画像圧縮処理を画像ファイル生成部３２によって行った後（Ｓ５０２）、インターフェース９０或いは９４、コネクタ９２或いは９６を介して、メモリカードやフラッシュメモリカード等の記録媒体２００或いは２１０の内部を読み込み、画像データの書き込み先となるフォルダの確認を行なう（Ｓ５０３）。
【０１３３】
この不適正フォルダ記録ルーチン内のＳ５０３で確認されるフォルダは、前途のＳ１１６にて不適正と判断された画像データが書き込まれるフォルダである。
【０１３４】
Ｓ５０３のフォルダ確認にて、すでにフォルダが作成されていれば、Ｓ５０５に進み、記録媒体内の指定されたフォルダ（仮にフォルダ２）へ画像データの書き込みを行ない、記録処理ルーチンＳ１１８を終了する。
【０１３５】
Ｓ５０３でのフォルダ確認にて、記録媒体の内部にフォルダが作成されていない場合は、仮にフォルダ２と名称付けた不適正フォルダを作成し（Ｓ５０４）、Ｓ５０５に進み、記録媒体内の指定されたフォルダ２へ画像データの書き込みを行ない、記録処理ルーチンＳ１１８を終了する。
【０１３６】
この不適正フォルダ記録ルーチンにて、不適正な画像データのみが分別され記録媒体に記録される。
【０１３７】
図７は、画像表示部（モニタパネル部）２８に表示される確認画像の一例（通常フォルダに記録された画像再生の一例）を示す。
【０１３８】
前途したように、記録媒体に書き込まれた画像は操作スイッチ７０内の画像再生ボタンを操作することで、図７のように撮影後の画像が確認できる。
【０１３９】
図７（ａ）はサムネイル画像として極小再生表示した画像を並べたインデックス画像であり、画像表示部２８のモニタを９分割して、Ｐ１からＰ９までの撮影済み画像をモニタパネルに一覧できるようになっている。
【０１４０】
（ａ）例のように撮影後のインデックス表示上では、カメラが適正に動作した時の画像閲覧として通常のインデックス画像が展開される。
【０１４１】
図７（ｂ）では操作部７０に含まれる画像選択スイッチ（再生画像選択ボタン）にて、インデックス画像の中からＰ１画像が選ばれた場合の単独表示を現し、撮影時の撮影情報も共に表示している。
【０１４２】
撮影情報として（ｂ）では、撮影日の日付と時間、撮影露出、露出補正の有無とその量、レンズＩＤ情報からの取付けレンズ種類、レンズのズーム値、ストロボの有無とその種類、撮影時の光感度、撮影モード、ホワイトバランス補正であるＡＷＢの有無、画像圧縮率設定となる記録画素数、そして記録された時系列データを元にファイルナンバー（ｆｉｌｅ  Ｎｏ．）を表示している。
【０１４３】
このファイルナンバーでは、図３のＳ１１７で記録された通常フォルダから読み出しを行なっているので、０１−００１の０１がフォルダナンバー、００１がファイルナンバーと定義付けられて表示される。
【０１４４】
図８は、画像表示部（モニタパネル部）２８に表示される確認画像の一例（不適正フォルダに記録された画像再生の一例）を示す。
【０１４５】
前途したように、記録媒体に書き込まれた画像は操作スイッチ７０内の画像再生ボタンを操作することで、図８のように撮影後の画像が確認できる。
【０１４６】
図８（ａ）はサムネイル画像として極小再生表示した画像を並べたインデックス画像であり、画像表示部２８のモニタを９分割して、Ｐ１からＰ９までの撮影済み画像をモニタパネルに一覧できるようになっている。
【０１４７】
（ａ）例のように撮影後のインデックス表示上では、カメラが不適正と判断した時の画像を一括閲覧できるインデックス画像が展開される。
【０１４８】
（ａ）のＰ１では露出アンダーな画像、Ｐ２では露出オーバーな画像、を表しており、不適正告知表示の一例としてそれぞれの画像の右下に×印を表示している。
【０１４９】
図７（ｂ）では操作部７０に含まれる画像選択スイッチ（再生画像選択ボタン）にて、インデックス画像の中からＰ１画像が選ばれた場合の単独表示を現し、撮影時の撮影情報も共に表示している。
【０１５０】
撮影情報として（ｂ）では、撮影日の日付と時間、撮影露出、露出補正の有無とその量、レンズＩＤ情報からの取付けレンズ種類、レンズのズーム値、ストロボの有無とその種類、撮影時の光感度、撮影モード、ホワイトバランス補正であるＡＷＢの有無、画像圧縮率設定となる記録画素数、そして記録された時系列データを元にファイルナンバー（ｆｉｌｅ  Ｎｏ．）を表示している。
【０１５１】
このファイルナンバーでは、図３のＳ１１８で記録された不適正フォルダから読み出しを行なっているので、０２−００１の０２がフォルダナンバー、００１がファイルナンバーと定義付けられて表示される。
【０１５２】
以上説明したように本実施の形態１では、撮影シーケンスの中で撮影結果として適性判断を行ない、その結果から対応したフォルダを作成して、それぞれに分別して画像データを記録するようにしている。
【０１５３】
その結果、フォルダ元からの画像データの読み出しは一括して分別することができるので、撮影後の確認表示（インデックス表示）などにおいて区別しやすくなる。
【０１５４】
（第２の実施の形態）
第１の実施の形態の構成を基に、第２の実施の形態を以下に示す。
【０１５５】
図９は、図３のＳ１１７における通常フォルダへの記録処理のフローチャートを示す。
【０１５６】
システム制御回路５０は、メモリ制御回路２２そして必要に応じて画像処理回路２０を用いて、画像データメモリ３０に書き込まれた撮影画像データを読み出して撮像素子の縦横画素比率を１：１に補間する画素正方化処理を行った後（Ｓ６０１）、画像データメモリ３０に処理を終えた画像データを書き込む。
【０１５７】
そして、画像データメモリ３０に書き込まれた画像データを読み出して、設定したモードに応じた画像圧縮処理を画像ファイル生成部３２によって行った後（Ｓ６０２）、インターフェース９０或いは９４、コネクタ９２或いは９６を介して、メモリカードやフラッシュメモリカード等の記録媒体２００或いは２１０の内部を読み込み、画像データの書き込み先となるフォルダの確認を行なう（Ｓ６０３）。
【０１５８】
この通常フォルダ記録ルーチン内のＳ６０３で確認されるフォルダは、図３のＳ１１６にて適正と判断された画像データが書き込まれるフォルダである。
【０１５９】
Ｓ６０３のフォルダ確認で、すでにフォルダが作成されていれば、Ｓ６０５に進む。
【０１６０】
このときのＳ６０５の記録媒体への書き込み時には、画像に付随する撮影データ（前途の露出値などが符号化されたデータ）と同等に、適正画像を現すデータを追加記録する。
【０１６１】
Ｓ６０５にて記録媒体内の指定されたフォルダ（仮にフォルダ１）へ画像データの書き込みを行ない、記録処理ルーチンＳ１１７を終了する。
【０１６２】
Ｓ６０３のフォルダ確認にて、記録媒体の内部にフォルダが作成されていない場合は、仮にフォルダ１と名称付けた通常フォルダを作成し（Ｓ６０４）、Ｓ６０５に進み、上記と同様に画像データと共に適正画像を現すデータを追加記録して、記録処理ルーチンＳ１１７を終了する。
【０１６３】
以上の通常フォルダへの記録処理を行なうことで、適正と判断された画像データは画像単独に適正データを追加してファイル化される。
【０１６４】
図１０は、図３のＳ１１８における不適正フォルダへの記録処理のフローチャートを示す。
【０１６５】
システム制御回路５０は、メモリ制御回路２２そして必要に応じて画像処理回路２０を用いて、画像データメモリ３０に書き込まれた撮影画像データを読み出して撮像素子の縦横画素比率を１：１に補間する画素正方化処理を行った後（Ｓ７０１）、画像データメモリ３０に処理を終えた画像データを書き込む。
【０１６６】
そして、画像データメモリ３０に書き込まれた画像データを読み出して、設定したモードに応じた画像圧縮処理を画像ファイル生成部３２によって行った後（Ｓ７０２）、インターフェース９０或いは９４、コネクタ９２或いは９６を介して、メモリカードやフラッシュメモリカード等の記録媒体２００或いは２１０の内部を読み込み、画像データの書き込み先となるフォルダの確認を行なう（Ｓ７０３）。
【０１６７】
この通常フォルダ記録ルーチン内のＳ７０３で確認されるフォルダは、図３のＳ１１６にて不適正と判断された画像データが書き込まれるフォルダである。
【０１６８】
Ｓ７０３のフォルダ確認で、すでにフォルダが作成されていれば、Ｓ７０５に進む。
【０１６９】
このときのＳ７０５の記録媒体への書き込み時には、画像に付随する撮影データ（前途の露出値などが符号化されたデータ）と同等に、不適正画像を現すデータを追加記録する。
【０１７０】
Ｓ７０５にて記録媒体内の指定されたフォルダ（仮にフォルダ２）へ画像データの書き込みを行ない、記録処理ルーチンＳ１１８を終了する。
【０１７１】
Ｓ７０３のフォルダ確認にて、記録媒体の内部にフォルダが作成されていない場合は、仮にフォルダ２と名称付けた不適正フォルダを作成し（Ｓ７０４）、Ｓ７０５に進み、上記と同様に画像データと共に不適正画像を現すデータを追加記録して、記録処理ルーチンＳ１１８を終了する。
【０１７２】
以上の不適正フォルダへの記録処理を行なうことで、不適正と判断された画像データは画像単独に不適正データを追加してファイル化される。
【０１７３】
図１１は第２の実施の形態をモニタパネル部に展開した一例を示す。
【０１７４】
前途したように、記録媒体には画像データと共に適正か不適正の情報も記録してあるので、画像を読み出すことで１画像毎に適正または不適正の情報表示が展開できる。
【０１７５】
この場合、記録媒体からの画像ファイル読み込みは、分離されたフォルダすべてを読み込んだ後、時系列に並び変えてもよく、フォルダ毎に表示してもよい。表示方法については、操作部７０において任意に設定できるものとする。
【０１７６】
図１１は一例として、フォルダ１とフォルダ２を両方読み込み、時系列に並べ替えて表示したものを表している。
【０１７７】
操作スイッチ７０内の画像再生ボタンを操作することで、図１１のように撮影後のインデックス画像が確認できる。
【０１７８】
図のように撮影後のインデックス表示上では、カメラが適正か不適正と判断した時の画像を一括閲覧できるインデックス画像が展開される。
【０１７９】
図中Ｐ１では適正に撮影された画像を表しており、適正告知表示の一例として画像の右下に○印を表示している。
【０１８０】
図中Ｐ２では露出オーバーな画像を表しており、不適正告知表示の一例として画像の右下に×印を表示している。
【０１８１】
同様に図中Ｐ４とＰ５とＰ７とＰ９は適正に撮影された画像を示し、Ｐ３とＰ６とＰ８は不適正に撮影された画像をそれぞれ示している。
【０１８２】
また、第１の実施の形態で説明したように画像単独を選択したときの表示では、撮影情報の表示とともに適正か不適正かの情報も追加表示され、記録媒体の読み出し元のフォルダナンバーとファイルナンバーが表示される。
【０１８３】
以上説明したように、第２の実施の形態では画像単独にそれぞれ適正判断の結果が記録データとして追加され、画像確認時に表示展開できる構成となっている。
【０１８４】
その結果、インデックス画像にて適正、不適正の画像が一括閲覧でき、一目瞭然となる。
【図面の簡単な説明】
【０１８５】
【図１】本実施の形態に関わる、デジタルカメラのブロック図である。
【図２】本実施の形態カメラにおける、撮影前シーケンスを示すフローチャートである。
【図３】本実施の形態カメラにおける、撮影時のシーケンスを示すフローチャートである。
【図４】本実施の形態カメラにおける、撮影の処理動作を示すフローチャートである。
【図５】第１実施の形態カメラにおける、通常フォルダ記録の処理動作を示すフローチャートである。
【図６】第１実施の形態カメラにおける、不適正フォルダ記録の処理動作を示すフローチャートである。
【図７】第１実施の形態カメラにおける、画像モニタパネルの通常画像確認時の一例を示す図である。
【図８】第１実施の形態カメラにおける、画像モニタパネルの不適正画像確認時の一例を示す図である。
【図９】第２実施の形態カメラにおける、通常フォルダ記録の処理動作を示すフローチャートである。
【図１０】第２実施の形態カメラにおける、不適正フォルダ記録の処理動作を示すフローチャートである。
【図１１】第２実施の形態カメラにおける、画像モニタパネルの画像確認時の一例を示す図である。
【符号の説明】
【０１８６】
１０：撮影レンズ
２０：画像処理
２８：画像表示
３０：画像データメモリ
３２：画像ファイル生成部
４０：露光制御
４６：測距制御
４８：外部ストロボ
５０：システム制御部
６０：モードダイアル
７０：操作部
２００、２１０：記録媒体
【図１】
2005150836.tif 000003
【図２】
2005150836.tif 000004
【図３】
2005150836.tif 000005
【図４】
2005150836.tif 000006
【図５】
2005150836.tif 000007
【図６】
2005150836.tif 000008
【図７】
2005150836.tif 000009
【図８】
2005150836.tif 000010
【図９】
2005150836.tif 000011
【図１０】
2005150836.tif 000012
【図１１】
2005150836.tif 000013